(57)【特許請求の範囲】
【請求項１】
光パケット信号を伝送する光パケット伝送装置において、
波長単位で光パケット信号の挿入又は分岐が可能な波長選択スイッチであって、光パケット信号の減衰量を調整可能な波長選択スイッチと、
前記波長選択スイッチに対して、パケット密度を可変して光パケット信号を送信可能な光パケット送信部と、
前記波長選択スイッチから出力される光パケット信号の時間平均パワーをモニタするモニタ部と、
当該光パケット伝送装置の制御を行う制御部と、を備え、
前記制御部は、当該光パケット伝送装置の立ち上げ時において、前記光パケット送信部にパケット密度が所定値に固定された光パケット信号を送信させ、該パケット密度に基づいて前記モニタ部によりモニタされた該時間平均パワーを光パケット信号のピークパワーを換算し、該換算したピークパワーに基づいて前記波長選択スイッチにおける光パケット信号の減衰量を制御することを特徴とする光パケット伝送装置。
【請求項２】
前記光パケット送信部は、送信パケット数をカウントするパケットカウンタを備え、
前記制御部は、定期的に前記パケットカウンタからのパケット数情報に基づいてパケット密度を算出し、算出したパケット密度に基づいて前記モニタ部でモニタされた時間平均パワーをピークパワーへの換算し、該換算したピークパワーに基づいて前記波長選択スイッチにおける光パケット信号の減衰量を制御することを特徴とする請求項１に記載の光パケット伝送装置。
【請求項３】
光パケット信号を伝送する光パケット伝送装置において、
波長単位で光パケット信号の挿入又は分岐が可能な波長選択スイッチであって、光パケット信号の減衰量を調整可能な波長選択スイッチと、
前記波長選択スイッチに対して光パケット信号をするとともに、送信パケット数をカウントするパケットカウンタを備える光パケット送信部と、
前記波長選択スイッチから出力される光パケット信号の時間平均パワーをモニタするモニタ部と、
当該光パケット伝送装置の制御を行う制御部と、を備え、
前記制御部は、定期的に前記パケットカウンタからのパケット数情報に基づいてパケット密度を算出し、算出したパケット密度に基づいて前記モニタ部でモニタされた時間平均パワーをピークパワーへの換算し、該換算したピークパワーに基づいて前記波長選択スイッチにおける光パケット信号の減衰量を制御することを特徴とする光パケット伝送装置。
【請求項４】
波長単位で光パケット信号の挿入又は分岐が可能な波長選択スイッチであって、光パケット信号の減衰量を調整可能な波長選択スイッチと、
前記波長選択スイッチに対して、パケット密度を可変して光パケット信号を送信可能な光パケット送信部と、
前記波長選択スイッチから出力される光パケット信号の時間平均パワーをモニタするモニタ部と、
を備える光パケット伝送装置の制御装置において、
前記光パケット伝送装置の立ち上げ時において、前記光パケット送信部にパケット密度が所定値に固定された光パケット信号を送信させ、該パケット密度に基づいて前記モニタ部によりモニタされた該時間平均パワーを光パケット信号のピークパワーを換算し、該換算したピークパワーに基づいて前記波長選択スイッチにおける光パケット信号の減衰量を制御することを特徴とする制御装置。
【請求項５】
定期的に前記光パケット送信部からのパケット数情報に基づいてパケット密度を算出し、算出したパケット密度に基づいて前記モニタ部でモニタされた時間平均パワーをピークパワーへの換算し、該換算したピークパワーに基づいて前記波長選択スイッチにおける光パケット信号の減衰量を制御することを特徴とする請求項４に記載の制御装置。
【請求項６】
波長単位で光パケット信号の挿入又は分岐が可能な波長選択スイッチであって、光パケット信号の減衰量を調整可能な波長選択スイッチと、
前記波長選択スイッチに対して光パケット信号をするとともに、送信パケット数をカウントするパケットカウンタを備える光パケット送信部と、
前記波長選択スイッチから出力される光パケット信号の時間平均パワーをモニタするモニタ部と、
を備える光パケット伝送装置の制御装置において、
定期的に前記パケットカウンタからのパケット数情報に基づいてパケット密度を算出し、算出したパケット密度に基づいて前記モニタ部でモニタされた時間平均パワーをピークパワーへの換算し、該換算したピークパワーに基づいて前記波長選択スイッチにおける光パケット信号の減衰量を制御することを特徴とする制御装置。
【発明の詳細な説明】
【技術分野】
【０００１】
本発明は、光パケット信号の伝送を行う光パケット伝送装置に関する。
【背景技術】
【０００２】
従来、高速・大容量通信需要の増加に伴い、光信号を多重化し伝送が可能である波長分割多重通信（ＷＤＭ：Wavelength  Division  Multiplexing）を用いた伝送システムが利用されている。
【０００３】
ＷＤＭ伝送システムにおいて用いられる装置として、ＲＯＡＤＭ（Reconfigurable Add/Drop Multiplexer）装置がある。ＲＯＡＤＭ装置は、波長多重された光信号（ＷＤＭ信号）から任意の波長の光信号を分岐でき、また、任意の波長の光信号をＷＤＭ信号に挿入できる。ＲＯＡＤＭ装置を用いることにより、光信号を電気信号に変換せずに自由に挿入・分岐できるので、超高速の伝送速度を保ったまま、柔軟にネットワークの構成を変更できる（ＲＯＡＤＭ装置については、例えば特許文献１参照）。
【０００４】
ＲＯＡＤＭ装置においては、波長選択スイッチ（ＷＳＳ：Wavelength Selective Switch）が用いられる。ＷＳＳは、ＷＤＭ信号から任意波長の光信号を挿入・分岐する機能や、任意波長の光信号を選択して、任意の出力ポートへ出力する１対多接続機能を行う。
【０００５】
図１は、ＲＯＡＤＭ装置において用いられるＷＳＳ装置を示す。図１に示すＷＳＳ装置１００は、Ｎ個の入力信号を合波して１つのＷＤＭ信号として出力する機能を有する。ＷＳＳ装置１００は、入力パワーモニタ用のフォトダイオード１０１と、Ｎ入力×１出力のＷＳＳモジュール１０２と、光分岐用の光カプラ１０３と、ＷＳＳモジュール１０２からの出力における各波長の時間平均パワーをモニタする光チャネルモニタ（ＯＣＭ：Optical Channel Monitor）１０４と、ＷＳＳモジュール１０２を制御するためのＡＬＣ部１０５とを備える。
【０００６】
ＷＳＳモジュール１０２は、入力されたＮ個の信号から任意の波長の信号を取り出し、１つのＷＤＭ信号として出力することができる。ＷＳＳモジュール１０２は、例えば、回折格子等の分光デバイスと、ＭＥＭＳ（Micro Electro Mechanical System）ミラーなどの波長単位で光信号を切替可能な光スイッチングデバイスと、光ファイバと各種光デバイスを結合するレンズ等の光学系とにより構成される。ＷＳＳモジュール１０２においては、Ｎ個の入力ポートから入力された各光信号は、回折格子により各波長へ分離された後、各波長に対して一つずつ用意されたＭＥＭＳミラーに入射する。そして、ＭＥＭＳミラーにより反射された各波長の光信号は、回折格子により合波され、出力ポートから出力される。ここで、ＷＳＳモジュール１０２においては、ミラー角度の制御により、波長ごとに出力ポートに出力される光の減衰量を調整できる（ＶＯＡ（Variable Optical Attenuator）機能）。なお、ＷＳＳモジュール１０２において、光の入力と出力を逆方向にすれば、ＷＤＭ信号から任意の波長を取り出し、任意の出力ポートに出力させることができる。
【０００７】
ＷＳＳ装置１００において、ＶＯＡ機能を実現するためのミラー角度の調整は、ＡＬＣ部１０５により行われる。ＡＬＣ部１０５は、ＷＳＳモジュール１０２に対して、ＯＣＭ１０４によりモニタされた各波長の時間平均パワーに基づいて波長ごとにＡＬＣ（Auto Level Control）による減衰量制御を行っている。図２は、ＷＳＳ装置１００における減衰量調整を説明するための図である。図２に示すように、ＯＣＭ１０４によるモニタ値Ａが目標レベルよりも高い場合、ＡＬＣ部１０５はミラー角度を調整して減衰量を増加させ、モニタ値が目標レベルとなるよう調整する。また、ＯＣＭ１０４によるモニタ値Ｂが目標レベルよりも低い場合、ＡＬＣ部１０５はミラー角度を調整して減衰量を増加させ、モニタ値が目標レベルとなるよう調整する。
【先行技術文献】
【特許文献】
【０００８】
【特許文献１】特開２００９−１５２９０３号公報
【発明の概要】
【発明が解決しようとする課題】
【０００９】
ところで、近年加速度的に増大するＩＰトラフィックに対応するために、１ＧＥｔｈｅｒ（1 Gigabit Ethernet（登録商標））、１０ＧＥｔｈｅｒ（10 Gigabit Ethernet）などの光パケット信号を、電気信号には変換せずに、光信号のままスイッチングして送り出す光パケットスイッチングが提案されている。光パケットスイッチングを用いて光パケット単位での方路切り替えを行うことにより、伝送路の帯域利用効率を向上することができる。
【００１０】
上述したようなＲＯＡＤＭ装置において、光パケット信号を伝送しようとした場合、以下のような問題点が生じる。
【００１１】
図３は、図１に示すＷＳＳ装置１００に光パケット信号が入力された場合に、ＯＣＭ１０４により検出されるモニタ値を説明するための図である。光パケット信号ではなく、ＳＤＨ（Synchronous Digital Hierarchy）信号のような連続信号であれば、常時マーク率が５０％となるよう制御されているため、ＯＣＭ１０４により検出されるモニタ値は、一定である。従って、モニタ値に基づいて減衰量を調整していれば、光信号のピークパワーは一定に保つことができる。
【００１２】
これに対し、Ｅｔｈｅｒ等の光パケット信号の場合、パケット毎にパケット長が変わるので、光信号が存在する時間帯と、存在しない時間帯とがある。本明細書では、光パケット数を表す指標として、「パケット密度」を定義する。光パケット密度は、パケット長／パケット間隔で定義される。図３には、パケット密度が高い場合と、低い場合と、その中間の場合とが図示されている。それぞれの場合において、光パケット信号のピークパワーは同じである。しかしながら、ＯＣＭ１０４にてモニタされる値は、ＷＳＳモジュール１０２からの出力の時間平均パワーであるため、パケット密度に依存する。すなわち、パケット密度が高い場合には、モニタ値は高くなるが、パケット密度が低い場合には、モニタ値は低くなる。このように、光パケット信号の場合、ＯＣＭ１０４によるモニタ値がパケット密度によって異なってくるので、モニタ値が目標レベルに近づくよう減衰量を調整したとしても、ＷＳＳ装置１００から出力される各波長の光パケット信号のピークパワーは一定にならない。光パケット信号のピークパワーが一定でないと、光パケット信号の受信部では正常にクロックおよびデータ抽出を行うことが困難になる。また、光アンプ部等を通過する際、雑音増加となり信号品質の悪化原因となるおそれがある。
【００１３】
光パケットごとに光ピークパワーを検出できるＯＣＭを用いれば上記の問題は解決できるが、例えば１０Ｇｂｐｓの光パケットごとにピークパワーを検出するためには、サブｎｓオーダで反応できるＯＣＭを用いる必要がある。このようなＯＣＭを用いることは現実的ではなく、現状では、実際にＲＯＡＤＭ装置において用いることのできるのは、μｓ〜ｍｓオーダで反応できるＯＣＭである。
【００１４】
本発明はこうした状況に鑑みてなされたものであり、その目的は、光パケット信号を伝送する光パケット伝送装置において、ＷＳＳ装置から出力される光パケット信号のピークパワーを安定化させる技術を提供することにある。
【課題を解決するための手段】
【００１５】
上記課題を解決するために、本発明のある態様の光パケット伝送装置は、波長単位で光パケット信号の挿入又は分岐が可能な波長選択スイッチであって、光パケット信号の減衰量を調整可能な波長選択スイッチと、波長選択スイッチに対して、パケット密度を可変して光パケット信号を送信可能な光パケット送信部と、波長選択スイッチから出力される光パケット信号の時間平均パワーをモニタするモニタ部と、当該光パケット伝送装置の制御を行う制御部とを備える。制御部は、当該光パケット伝送装置の立ち上げ時において、光パケット送信部にパケット密度が所定値に固定された光パケット信号を送信させ、該パケット密度に基づいてモニタ部によりモニタされた該時間平均パワーを光パケット信号のピークパワーを換算し、該換算したピークパワーに基づいて波長選択スイッチにおける光パケット信号の減衰量を制御する。
【００１６】
光パケット送信部は、送信パケット数をカウントするパケットカウンタを備えてもよい。制御部は、定期的にパケットカウンタからのパケット数情報に基づいてパケット密度を算出し、算出したパケット密度に基づいてモニタ部でモニタされた時間平均パワーをピークパワーへの換算し、該換算したピークパワーに基づいて波長選択スイッチにおける光パケット信号の減衰量を制御してもよい。
【００１７】
本発明の別の態様もまた、光パケット伝送装置である。この装置は、波長単位で光パケット信号の挿入又は分岐が可能な波長選択スイッチであって、光パケット信号の減衰量を調整可能な波長選択スイッチと、波長選択スイッチに対して光パケット信号をするとともに、送信パケット数をカウントするパケットカウンタを備える光パケット送信部と、波長選択スイッチから出力される光パケット信号の時間平均パワーをモニタするモニタ部と、当該光パケット伝送装置の制御を行う制御部とを備える。制御部は、定期的にパケットカウンタからのパケット数情報に基づいてパケット密度を算出し、算出したパケット密度に基づいてモニタ部でモニタされた時間平均パワーをピークパワーへの換算し、該換算したピークパワーに基づいて波長選択スイッチにおける光パケット信号の減衰量を制御する。
【００１８】
本発明のさらに別の態様は、制御装置である。この装置は、波長単位で光パケット信号の挿入又は分岐が可能な波長選択スイッチであって、光パケット信号の減衰量を調整可能な波長選択スイッチと、波長選択スイッチに対して、パケット密度を可変して光パケット信号を送信可能な光パケット送信部と、波長選択スイッチから出力される光パケット信号の時間平均パワーをモニタするモニタ部とを備える光パケット伝送装置の制御装置である。この制御装置は、光パケット伝送装置の立ち上げ時において、光パケット送信部にパケット密度が所定値に固定された光パケット信号を送信させ、該パケット密度に基づいてモニタ部によりモニタされた該時間平均パワーを光パケット信号のピークパワーを換算し、該換算したピークパワーに基づいて波長選択スイッチにおける光パケット信号の減衰量を制御する。
【００１９】
上記の制御装置は、定期的に前記光パケット送信部からのパケット数情報に基づいてパケット密度を算出し、算出したパケット密度に基づいて前記モニタ部でモニタされた時間平均パワーをピークパワーへの換算し、該換算したピークパワーに基づいて前記波長選択スイッチにおける光パケット信号の減衰量を制御してもよい。
【００２０】
本発明のさらに別の態様もまた、制御装置である。この装置は、波長単位で光パケット信号の挿入又は分岐が可能な波長選択スイッチであって、光パケット信号の減衰量を調整可能な波長選択スイッチと、波長選択スイッチに対して光パケット信号をするとともに、送信パケット数をカウントするパケットカウンタを備える光パケット送信部と、波長選択スイッチから出力される光パケット信号の時間平均パワーをモニタするモニタ部とを備える光パケット伝送装置の制御装置である。この制御装置は、定期的にパケットカウンタからのパケット数情報に基づいてパケット密度を算出し、算出したパケット密度に基づいてモニタ部でモニタされた時間平均パワーをピークパワーへの換算し、該換算したピークパワーに基づいて波長選択スイッチにおける光パケット信号の減衰量を制御する。
【００２１】
なお、以上の構成要素の任意の組合せ、本発明の表現を装置、方法、システム、プログラム、プログラムを格納した記録媒体などの間で変換したものもまた、本発明の態様として有効である。
【発明の効果】
【００２２】
本発明によれば、光パケット信号を伝送する光パケット伝送装置において、ＷＳＳ装置から出力される光パケット信号のピークパワーを安定化させることができる。
【図面の簡単な説明】
【００２３】
【図１】ＲＯＡＤＭ装置において用いられるＷＳＳ装置を示す図である。
【図２】ＷＳＳ装置における減衰量調整を説明するための図である。
【図３】図１に示すＷＳＳ装置に光パケット信号が入力された場合に、ＯＣＭにより検出されるモニタ値を説明するための図である。
【図４】本発明の実施形態に係る光パケット伝送装置を示す図である。
【図５】本実施形態に係る光パケット伝送装置の立ち上げ時の処理フローを示す図である。
【図６】挿入用ＷＳＳ装置にて検出されるモニタ値を示す図である。
【図７】ピークパワー換算表の一例を示す図である。
【図８】ピークパワーに基づいた減衰量の調整方法を説明するための図である。
【図９】光パケット伝送装置の変形例を示す図である。
【図１０】変形例に係る光パケット伝送装置における減衰量調整の処理フローを示す図である。
【発明を実施するための形態】
【００２４】
以下、図面を参照しつつ、本発明の実施形態について説明する。
【００２５】
図４は、本発明の実施形態に係る光パケット伝送装置１０を示す。図４に示すように、光パケット伝送装置１０は、ＲＯＡＤＭ装置１２と、Ｎ×Ｎの光スイッチ部１４と、光パケット送信部１６と、光パケット受信部１８と、制御部２０と、光スイッチ部１４の前段および後段に設けられた光アンプ部２２および２４とを備える。
【００２６】
図４に示すように、ＲＯＡＤＭ装置１２は、のＮ×１の挿入用ＷＳＳ装置２６と、１×Ｎの分岐用ＷＳＳ装置２８とを備える。挿入用ＷＳＳ装置２６と、分岐用ＷＳＳ装置２８との間は、光アンプ３０および３２を介して光ファイバ３４により接続されている。挿入用ＷＳＳ装置２６および分岐用ＷＳＳ装置２８は、それぞれ、図１にて説明したＷＳＳ装置１００と同様に、波長ごとに減衰量を調整できるＶＯＡ機能を有するＷＳＳモジュールと、ＷＳＳモジュール出力の波長ごとの時間平均パワーをモニタする光チャネルモニタ（ＯＣＭ）と、ＷＳＳモジュールに対して、ＯＣＭによりモニタされた各波長の時間平均パワーに基づいて波長ごとにＡＬＣによる減衰量制御を行うＡＬＣ部とを備える。
【００２７】
図４に示すように、光スイッチ部１４の１つの出力ポートは、光アンプ部２４を介してＲＯＡＤＭ装置１２の挿入用ＷＳＳ装置２６の１つの入力ポートに接続されている。また、光スイッチ部１４の１つの出力ポートは、光パケット受信部１８に接続されている。また、光スイッチ部１４の１つの入力ポートは、光アンプ部２２を介して光パケット送信部１６に接続されている。
【００２８】
制御部２０は、光パケット伝送装置１０全体の動作を制御するものであり、ＲＯＡＤＭ装置１２の挿入用ＷＳＳ装置２６および分岐用ＷＳＳ装置２８、光パケット送信部１６、光スイッチ部１４等に配線されている。
【００２９】
図５は、本実施形態に係る光パケット伝送装置１０の立ち上げ時の処理フローを示す。光パケット伝送装置１０の立ち上げ時において、制御部２０は、まず、光パケット送信部１６に対し、パケット密度を所定値に固定した光パケット信号を送信するよう指示する（Ｓ１０）。このパケット密度の所定値とは、通常のインターネットトラフィック相当で、さらに光アンプ部２２および２４と光パケット受信部１８とで安定動作の行えるパケット密度である。この所定値は、実験やシミュレーションにより適宜最適な値に設定される。また、インターネットトラフィックは、時間帯によっても変わるので、光パケット伝送装置１０を立ち上げる時間帯に応じて変えてもよい。
【００３０】
次に、制御部２０は、光パケット送信部１６から送信された光パケット信号を用いて、光スイッチ部１４並びに光アンプ部２２および２４のレベル調整を行う（Ｓ１２）。
【００３１】
次に、制御部２０は、光パケット送信部１６からの光パケット信号をＲＯＡＤＭ装置１２の挿入用ＷＳＳ装置２６に入力させる。この際、制御部２０は、光パケット信号が挿入用ＷＳＳ装置２６に入力するよう光スイッチ部１４のスイッチングを行う。挿入用ＷＳＳ装置２６内部では、図１にて説明したように、ＡＬＣ部により、各波長の時間平均パワーに基づいて波長ごとにＡＬＣによる減衰量制御が行われる。従って、挿入用ＷＳＳ装置２６のＯＣＭは、ＡＬＣによる減衰量制御後の挿入用ＷＳＳ装置２６の出力の時間平均パワーを検出する。このモニタ値は制御部２０に送られる（Ｓ１４）。
【００３２】
図６は、挿入用ＷＳＳ装置２６にて検出されるモニタ値を示す。図６に示すように、挿入用ＷＳＳ装置２６に入力される光パケット信号は、パケット密度が固定されているので、モニタ値は一定である。
【００３３】
次に、制御部２０は、挿入用ＷＳＳ装置２６により検出されたモニタ値（光パケット信号の時間平均パワー）を、光パケット信号のピークパワーに換算する（Ｓ１６）。制御部２０は、パケット密度と時間平均パワーのピークパワー換算表を予め有しており、この換算表を基にモニタ値をピークパワーに換算する。下記の（１）式は、時間平均パワーと、パケット密度と、ピークパワーとの関係を示す。（１）式において、Ｐｔｓｐはピークパワーを表し、Ｅ．Ｒは消光比を表す。
時間平均パワー＝
10log((10Ptsp/10−10(Ptsp-E.R)/10)×(1/2)×(パケット密度)＋(10(Ptsp-E.R)))・・・（１）
【００３４】
図７は、ピークパワー換算表の一例を示す。このピークパワー換算表は、消光比が１５ｄＢのときの例である。図７の見方であるが、例えば、パケット密度が２０％で時間平均パワーが−８．９ｄＢｍの場合、ピークパワーは０ｄＢｍとなる。また、例えばパケット密度が１００％で時間平均パワーが−４．９ｄＢｍの場合、ピークパワーは−２．０ｄＢｍとなる。なお、パケット密度が１００％とは、連続信号の場合である。
【００３５】
次に、制御部２０は、換算したピークパワーに基づいて、挿入用ＷＳＳ装置２６のＷＳＳモジュールで各波長の減衰量を調整する（Ｓ１８）。具体的な調整方法を以下に説明する。
【００３６】
図８は、ピークパワーに基づいた減衰量の調整方法を説明するための図である。図８に示すモニタ値は、ＡＬＣが行われた後にＯＣＭによりモニタされた値である。制御部２０は、挿入用ＷＳＳ装置２６のＯＣＭからのモニタ値をピークパワーに換算した後、換算したピークパワーと時間平均パワーとの差分を求める。そして、その差分を、既にＡＬＣ部により決定された減衰量に加算し、新たな減衰量とする。制御部２０は、挿入用ＷＳＳ装置２６のＶＯＡ機能を用いて、設定された新たな減衰量となるようＷＳＳモジュールを調整する。これにより、換算したピークパワーと時間平均パワーとの差分をモニタ値から減衰させた光パワーが、最終的な挿入用ＷＳＳ装置２６の出力パワーとしてモニタされる。ＷＳＳモジュールの減衰量は、例えばＭＥＭＳミラーの角度を調整することにより調整できる。
【００３７】
減衰量調整後、制御部２０は、時間平均パワーを用いたＡＬＣによる挿入用ＷＳＳ装置２６の出力パワー変動を防ぐために、挿入用ＷＳＳ装置２６のＡＬＣ機能をオフする（Ｓ２０）。従って、これ以降に挿入用ＷＳＳ装置２６に入力される光パケット信号については、固定の減衰量が適用される。
【００３８】
以上のような制御を光パケット伝送装置１０の立ち上げ時に行うことで、光パケット伝送装置１０の運用時において、光パケット信号のピークパワーに基づいた減衰量調整が可能となる。光パケット信号のパケット密度に依存しないので、挿入用ＷＳＳ装置２６からは、ピークパワーが所望のレベルで一定となった光パケット信号が出力される。光パケット信号のピークパワーが安定化することにより、光パケット受信部は、クロックおよびデータ抽出を正常に行うことが可能となる。また、光アンプ部を通過する光パケット信号のピークパワーが安定化することにより、光アンプ部での雑音が抑制され、信号品質の悪化を防ぐことができる。
【００３９】
なお、上記の説明では、挿入用ＷＳＳ装置２６での減衰量調整について説明したが、分岐用ＷＳＳ装置２８に対しても同様の減衰量調整を行うことができる。
【００４０】
図９は、光パケット伝送装置の変形例を示す。図９に示す光パケット伝送装置１０においては、図４と同様又は対応する構成要素については同一の符号を付し、対応する説明は適宜省略する。
【００４１】
上述の光パケット伝送装置においては、パケット密度を固定して、ＷＳＳ装置における減衰量を調整したが、装置立ち上げ後は、伝送される光パケット信号の密度はリアルタイムに変化している。上述の実施形態では、減衰量調整を終えた後に、ＷＳＳ装置のＡＬＣ機能をオフされているので、定期的にＷＳＳ装置での減衰量調整を行うことが好ましい。この定期的な減衰量調整を行うために、本変形例では、光パケット送信部１６にパケットカウンタ３６を設けた。制御部２０は、このパケットカウンタによりカウントされたパケット数情報を用いてパケット密度を算出し、算出したパケット密度とモニタした時間平均パワーからピークパワーへの換算を行い、該換算ピークパワーに基づいて、減衰量調整を行う。
【００４２】
図１０は、変形例に係る光パケット伝送装置における減衰量調整の処理フローを示す。まず、制御部２０は、所定の期間ごとに、光パケット送信部１６のパケットカウンタ３６に対して、送信パケット数をカウントするよう指示を出す。指示を受けたパケットカウンタ３６は、送信パケットをカウントし、カウント値を制御部２０に通知する（Ｓ３０）。
【００４３】
次に、制御部２０は、ある一定時間のパケット数から、パケット密度を算出する（Ｓ３２）。その後、制御部２０は、挿入用ＷＳＳ装置２６のＯＣＭによりモニタされた各波長の時間平均パワーを受信する（Ｓ３４）。
【００４４】
次に、制御部２０は、算出したパケット密度に基づいて、挿入用ＷＳＳ装置２６からの時間平均パワーをピークパワーに換算する（Ｓ３６）。その後、制御部２０は、換算したピークパワーに基づいて、挿入用ＷＳＳ装置２６のＷＳＳモジュールで各波長の減衰量を調整する（Ｓ３８）。なお、本フローでは、挿入用ＷＳＳ装置２６での減衰量調整について説明したが、分岐用ＷＳＳ装置２８に対しても同様の減衰量調整を行うことができる。
【００４５】
本変形例に係る光パケット伝送装置１０によれば、ＷＳＳ装置のＡＬＣ機能をオフした後でも、パケット密度に合った減衰量に調整することが可能となる。
【００４６】
図１０に示す本変形例の処理フローは、装置立ち上げ時に図５に示す処理フローを行った後に、定期的に行われるものであるが、必ずしも図５に示す処理フローの後に行われなくてもよい。すなわち、装置立ち上げ時から、図１０に示す処理フローが実行されてもよい。
【００４７】
以上、本発明を実施の形態をもとに説明した。この実施の形態は例示であり、それらの各構成要素や各処理プロセスの組合せによりいろいろな変形例が可能なこと、またそうした変形例も本発明の範囲にあることは当業者に理解されるところである。
【符号の説明】
【００４８】
１０  光パケット伝送装置、  １２  ＲＯＡＤＭ装置、  １４  光スイッチ部、  １６  光パケット送信部、  １８  光パケット受信部、  ２０  制御部、２６  挿入用ＷＳＳ装置、  ２８  分岐用ＷＳＳ装置、  ３６  パケットカウンタ。
【図１】
0005395032.tif 000002
【図２】
0005395032.tif 000003
【図３】
0005395032.tif 000004
【図４】
0005395032.tif 000005
【図５】
0005395032.tif 000006
【図６】
0005395032.tif 000007
【図７】
0005395032.tif 000008
【図８】
0005395032.tif 000009
【図９】
0005395032.tif 000010
【図１０】
0005395032.tif 000011